(57)【要約】無線通信システムのために異なるタイプの参照信号を構成するシグナリングフレームワークを容易にすることが、本明細書において提供される。システムは、プロセッサと、このプロセッサによって実行されると、動作の実行を容易にする実行可能命令を記憶するメモリとを備えることができる。動作は、ユーザー機器デバイスから参照信号を受信することと、参照信号に基づいて、この参照信号から一意識別子を生成することと、参照信号タイプとコンポーネントキャリアインデックスリストとに基づいて、当該参照信号に関連付けられたリソースを配分することと、一意識別子を、データ構造内のリソースと、コンポーネントキャリアインデックスリストと、参照信号タイプとに関連付けることと、データ構造をメモリに記憶し、このデータ構造をユーザー機器デバイスに送信することとを含むことができる。【選択図】図１
2020533854.tif 000002
【特許請求の範囲】
【請求項１】
プロセッサと、
前記プロセッサによって実行されると、動作の実行を容易にする実行可能命令を記憶するメモリと、
を備えるシステムであって、前記動作は、
参照信号リソースに関連付けられた一意識別子を生成することと、
参照信号のタイプ、及びコンポーネントキャリアを表すインデックスデータのリストを用いて、前記参照信号リソースを配分することと、
前記参照信号リソースをユーザー機器デバイスに対して構成することと、
前記参照信号を前記ユーザー機器デバイスに送信することと、
前記ユーザー機器デバイスが前記一意識別子に関連付けられた前記参照信号を測定することを容易にすることと、
を含む、システム。
【請求項２】
前記容易にすることは、参照信号測定について疑似コロケーション仮定を使用することを更に含む、請求項１に記載のシステム。
【請求項３】
前記容易にすることは、ビーム管理について参照シンボル受信電力測定を使用することを更に含む、請求項１に記載のシステム。
【請求項４】
前記容易にすることは、モビリティ管理について参照シンボル受信電力測定を使用することを更に含む、請求項１に記載のシステム。
【請求項５】
前記参照信号リソースは、チャネル状態情報参照信号を含む、請求項１に記載のシステム。
【請求項６】
前記参照信号リソースは、位相追跡参照信号を含む、請求項１に記載のシステム。
【請求項７】
前記参照信号リソースは、アップリンク送信における復調参照信号を含む、請求項１に記載のシステム。
【請求項８】
前記参照信号リソースは、ダウンリンク送信における復調参照信号を含む、請求項１に記載のシステム。
【請求項９】
プロセッサを備えるシステムによって、参照信号リソースに関連付けられた一意識別子を生成することと、
前記システムによって、参照信号のタイプ、及びコンポーネントキャリアを表すインデックスデータのリストを用いて、前記参照信号リソースを配分することと、
前記システムによって、前記参照信号リソースをユーザー機器デバイスに対して構成することと、
前記システムによって、前記参照信号を前記ユーザー機器デバイスに送信することと、
前記システムによって、前記ユーザー機器デバイスが、前記一意識別子に関連付けられた前記参照信号を測定することを容易にすることと、
を含む、方法。
【請求項１０】
前記システムによって前記容易にすることは、参照信号測定について疑似コロケーション仮定を使用することを更に含む、請求項９に記載の方法。
【請求項１１】
前記システムによって前記容易にすることは、ビーム管理について参照シンボル受信電力測定を使用することを更に含む、請求項９に記載の方法。
【請求項１２】
前記システムによって前記容易にすることは、モビリティ管理について参照シンボル受信電力測定を使用することを更に含む、請求項９に記載の方法。
【請求項１３】
前記参照信号リソースは、ダウンリンク送信における復調参照信号を含む、請求項９に記載の方法。
【請求項１４】
前記一意識別子を前記生成することは、前記システムに関連付けられた第１の識別子と、前記参照信号タイプと、前記ユーザー機器デバイスに関連付けられた第２の識別子とに応じて前記一意識別子を生成することを含む、請求項９に記載の方法。
【請求項１５】
プロセッサによって実行されると、動作の実行を容易にする実行可能命令を含む機械可読記憶媒体であって、前記動作は、
参照信号リソースに関連付けられた一意識別子を生成することと、
参照信号のタイプ、及びコンポーネントキャリアを表すインデックスデータのリストを用いて、前記参照信号リソースを配分することと、
前記参照信号リソースをユーザー機器デバイスに対して構成することと、
前記参照信号を前記ユーザー機器デバイスに送信することと、
前記ユーザー機器デバイスが、前記一意識別子に関連付けられた前記参照信号を測定することを容易にすることと、
を含む、機械可読記憶媒体。
【請求項１６】
前記容易にすることは、参照信号測定について疑似コロケーション仮定を使用することを更に含む、請求項１５に記載の機械可読記憶媒体。
【請求項１７】
前記容易にすることは、ビーム管理について参照シンボル受信電力測定を使用することを更に含む、請求項１５に記載の機械可読記憶媒体。
【請求項１８】
前記容易にすることは、モビリティ管理について参照シンボル受信電力測定を使用することを更に含む、請求項１５に記載の機械可読記憶媒体。
【請求項１９】
前記参照信号リソースは、チャネル状態情報参照信号を含む、請求項１５に記載の機械可読記憶媒体。
【請求項２０】
前記参照信号リソースは、位相追跡参照信号を含む、請求項１５に記載の機械可読記憶媒体。
【発明の詳細な説明】
【技術分野】
【０００１】
［関連出願の相互参照］
本出願は、「UNIFIED INDEXING FRAMEWORK FOR REFERENCE SIGNALS」と題する２０１７年９月８日に出願の米国特許出願第１５／６９９，５４８号の優先権を主張し、その出願は引用することにより本明細書の一部をなす。
【０００２】
本開示は、包括的には、無線通信システム全般に関し、詳細には、異なるタイプの参照信号を構成するシグナリングフレームワークに対する第５世代セルラー無線通信システムに関する。
【背景技術】
【０００３】
データセントリックアプリケーションに関する莫大な需要を満たすために、第３世代パートナーシッププロジェクト（３ＧＰＰ）システム、及び無線通信に関する第４世代（４Ｇ）規格の仕様の１つ以上の態様を利用するシステムが、無線通信に関する第５世代（５Ｇ）規格に拡張されることになる。無線通信に関する来るべき５Ｇ又は他の次世代ネットワーク規格に関連付けられるサービスレベルを提供するには、特有の課題がある。
【０００４】
種々の非限定的な実施形態が、添付の図面を参照して更に説明される。
【図面の簡単な説明】
【０００５】
【図１】異なるタイプの参照信号を構成する一例示の非限定的なシステムを示す図である。
【図２】本明細書において説明される１つ以上の実施形態による、異なるタイプの参照信号を構成する一例示の非限定的な例のシステムを示す図である。
【図３】本明細書において説明される１つ以上の実施形態による、異なるタイプの参照信号を構成する一例示の非限定的な例のシステムを示す図である。
【図４】本明細書において説明される１つ以上の実施形態による、異なるタイプの参照信号を構成する一例示の非限定的な例のシステムを示す図である。
【図５】本明細書において説明される１つ以上の実施形態による、異なるタイプの参照信号を構成する一例示の非限定的な例のシステムを示す図である。
【図６】本明細書において説明される１つ以上の実施形態による、異なるタイプの参照信号を構成する、概括的な一例示の非限定的な方法を示す図である。
【図７】本明細書において説明される１つ以上の実施形態による、異なるタイプの参照信号を構成する一例示の非限定的な方法を示す図である。
【図８】本開示の種々の特徴又は態様を実施及び利用するモバイルネットワークプラットフォームの一例示の実施形態のブロック図である。
【図９】本明細書において説明される１つ以上の実施形態による、無線通信を容易にするシステムアーキテクチャに関与するように動作可能な一例示のモバイルハンドセットの一例示のブロック図である。
【図１０】本明細書において説明される１つ以上の実施形態による、無線通信を容易にするシステムアーキテクチャに関与するように動作可能な一例示のコンピューターの一例示のブロック図である。
【発明を実施するための形態】
【０００６】
ここで、１つ以上の実施形態が、以降、例示の実施形態が示されている添付の図面を参照してより十分に説明される。以下の説明では、種々の実施形態を十分に理解してもらうために、説明の目的上、数多くの具体的な細部が記述される。しかしながら、これらの具体的な細部を用いることなく（そして、任意の特定のネットワーク化された環境又は規格に適用することなく）、種々の実施形態を実施できる。
【０００７】
ロングタームエボリューション（ＬＴＥ）第５世代（５Ｇ）Ｎｅｗ  Ｒａｄｉｏ（ＮＲ：新無線）セルラーシステムにおける最重要設計は、共通参照信号（ＣＲＳ：Common Reference Signal）の除去である。代わりとして、ＣＲＳベースの機能の多くが、今では、ユーザー機器（ＵＥ）固有参照信号に基づいており、それゆえ、送信は必要に応じて行う形式にすることができる。その結果、いくつかの新たな参照信号タイプが、ＮＲに導入されている。例えば、位相オフセットを追跡する位相追跡参照信号（ＰＴ−ＲＳ）と、時間及び周波数を追跡する時間及び周波数参照信号（ＴＲＳ）とが導入されている。さらに、チャネル状態情報参照信号（ＣＳＩ−ＲＳ）を今では複数の用途、例えば、モビリティ、ビーム管理、及び／又はチャネル状態情報（ＣＳＩ）取得のために用いることができる。
【０００８】
ロングタームエボリューション（ＬＴＥ）の従来版（例えば、ＬＴＥの第４世代（４Ｇ））は、参照信号構成が典型的にはタイプに基づくように設計されていた。無線リソース制御（ＲＲＣ）シグナリングにおいて、例えば、ネットワークは、まず、それぞれインデックス値を有するＣＳＩ−ＲＳリソースのリストを構成する。次に、ネットワークは、或る特定の機能によって用いられるＣＳＩ−ＲＳを構成するのにそのインデックス値を用いることのみを必要とする。例えば、物理ダウンリンク共有チャネル（ＰＤＳＣＨ）レートマッチング及び疑似コロケーションインジケーター（ＰＱＩ）状態構成において、基地局デバイス（例えば、ｅＮＢデバイス）は、ＣＳＩ−ＲＳインデックス値＝２を、疑似コロケーション（ＱＣＬ：quasi-co-location）及び物理ダウンリンク共有チャネルリソース要素（ＰＤＳＣＨ  ＲＥ）マッピングのためにこの状態で用いることを単に示すことができる。
【０００９】
上記は単純かつ能率的な解決策ではあるものの、多数の異種のＲＳタイプを有するシステムを扱うようには設計されていない。ＮＲの状況では、データ構造、例えばインデックステーブルを、ＲＳのタイプごとに構築及び維持する必要がある。したがって、機能関連付け及び／又は構成の間、機能によっては異なるＲＳタイプに基づく可能性があるので、更なるシグナリングが、ＲＳのタイプを示すために必要となり得る。例えば、ビーム管理手順及びビーム復元手順は、同期信号ブロック（ＳＳブロック）及び／又はチャネル状態情報参照信号（ＣＳＩ−ＲＳ）に基づく可能性がある。
【００１０】
さらに、ＮＲセルラーシステムの設計は、ユーザー機器（ＵＥ）デバイスが、第１のコンポーネントキャリアから取得された同期を、別の異種の第２のコンポーネントキャリア上での復調及び／又はチャネル管理の際に利用することを可能にするクロスコンポーネントキャリア疑似コロケーション仮定を導入している。ＬＴＥにおける従来のＲＳインデックス付けはコンポーネントキャリア（ＣＣ）に基づいており、これによって、シグナリング設計において別の次元が加わる可能性がある。例えば、クロスＣＣ  ＱＣＬを構成するとき、シグナリングは、ＣＣがＲＳのタイプと組み合わせてＱＣＬされたＲＳがいずれであるかを示す必要がある。
【００１１】
以下の解説は、多様かつ異種のタイプのＲＳの構成をサポートするように一意識別子を用いた統一ＲＳリソース構成をサポートする、改善及び／又は改良されたシグナリングフレームワークを提供するシステム及び方法を説明及び開示する。説明する改善及び／又は改良されたシグナリングフレームワークは、異なる多様なコンポーネントキャリア上のＲＳの間でＱＣＬを構成することをサポートする。さらに、開示する改善及び／又は改良されたシグナリングフレームワークは、別々の方向（例えば、アップリンク及びダウンリンク）におけるＲＳの間でＱＣＬを構成することをサポートする。さらに、説明する改善及び／又は改良されたシグナリングフレームワークは、異なる時間周期性におけるＲＳの間でＱＣＬを構成することをサポートする。さらに、開示及び説明する改善及び／又は改良されたシグナリングフレームワークは、異なる測定において異なるＲＳの間でＱＣＬを構成することをサポートする。
【００１２】
図面を参照すると、図１は、一実施形態による、異なるタイプの参照信号を構成するシステム１００の説明図を提供している。システム１００は、例示の目的で、プロセッサを備え、及び／又は、有線及び／又は無線ネットワークトポロジーに有効及び／又は動作可能に通信することが可能な任意のタイプの機構、機械、デバイス、設備、装置、及び／又は器具／手段とすることができる、任意の無線デバイスとすることができる。システム１００は、マルチキャリア無線ネットワークインフラストラクチャを形成することができる複数のネットワークデバイスのうちの或るネットワークデバイスとすることができる。システム１００を備えることができる機構、機械、装置、デバイス、設備、及び／又は器具／手段は、タブレットコンピューティングデバイス、ハンドヘルドデバイス、サーバークラスコンピューティングデバイス、機械及び／又はデータベース、ラップトップコンピューター、ノートブックコンピューター、デスクトップコンピューター、携帯電話、スマートフォン、民生用機器及び／又は器具類、産業用デバイス及び／又は構成要素、パーソナルデジタルアシスタント、マルチメディアインターネット対応電話、マルチメディアプレーヤー、自動車車両に関連付けられた民生用及び／又は産業用機器及び／又は器具類、地球低軌道、対地同期軌道を周回する航空宇宙ビークル及び／又は衛星に関連付けられた産業用及び／又は民生用機器及び／又は器具類等を含むことができる。
【００１３】
図示するように、システム１００は、プロセッサ１０４、メモリ１０６、及び／又はストレージ１０８と動作可能に通信することができる構成エンジン１０２を備えることができる。構成エンジン１０２は、構成エンジン１０２によるコンピューター実行可能命令又は機械実行可能命令及び／又は構成要素の動作を容易にするプロセッサ１０４、データ及び／又はコンピューター実行可能命令及び／又は機械実行可能命令及び／又は構成要素を記憶するメモリ１０６、及び／又は、データ及び／又は機械可読命令及び／又はコンピューター可読命令のより長期の記憶を提供するストレージ１０８と通信することができる。さらに、システム１００は、構成エンジン１０２による使用、操作及び／又は変換のために入力１１０を受信して、１つ以上の有用、具体的かつ有形の結果を生成し、及び／又は１つ以上の項目（articles）を異なる状態又は事物に変換することもできる。さらに、システム１００は、構成エンジン１０２によって生成された（及び／又は他の関連及び／又は追加の異種のエンジン及び／又は構成要素によって生成されるか又は容易にされた）有用、具体的かつ有形の結果及び／又は変換された１つ以上の項目を、出力１１２として生成及び出力することもできる。
【００１４】
一実施形態によれば、システム１００は、システム１００が通信することができるユーザー機器デバイス（図示せず）から、参照信号値を入力１１０として受信することができる。参照信号（ＲＳ）値は、同期信号ブロック（ＳＳブロック）値、チャネル状態情報参照信号（ＣＳＩ−ＲＳ）値、サウンディング参照信号（ＳＲＳ：sounding reference signal）値、アップリンク送信における復調参照信号（ＤＭＲＳ：demodulation reference signal）値、全放射感度（ＴＲＳ：total radiated sensitivity）値、位相追跡参照信号（ＰＴ−ＲＳ）値等に関する及び関連付けることができる。ＲＳ値を受信すると、この受信に応答して、構成エンジン１０２は、受信ＲＳ値、ＲＳタイプ、システム１００に関連付けられたセル識別子値（及び／又はセルセクター識別子アドレス）、ユーザー機器デバイスに関連付けられた識別子値（例えば、国際モバイル加入者識別情報（ＩＭＳＩ：international mobile subscriber identity）、メディアアクセス制御（ＭＡＣ）アドレス又はＥｔｈｅｒｎｅｔハードウェアアドレス（ＥＨＡ））、基地局デバイス（例えば、次世代ＮｏｄｅＢ（ｇＮＢ）、進化型ＮｏｄｅＢ（ｅＮｏｄｅＢ）．．．）一意識別子等に応じて、ＲＳに関連付けられる一意識別子を生成することができる。
【００１５】
構成エンジン１０２は、その後、ＲＳタイプ及びＣＣインデックスリストに基づいて又はそれらに応じて、ＲＳに関連付けられるリソースを配分することができる。構成エンジン１０２によって実行又は容易にされるリソース配分は、ＲＳタイプ、サブキャリア値、直交周波数分割多重（ＯＦＤＭ）シンボルリソース値、帯域幅（帯域幅部分（bandwidth part）構成を含む）値、絶対無線周波数チャネル番号（ＡＲＦＣＮ：absolute radiofrequency channel number）中心周波数値からの周波数オフセット値、帯域幅部分（ＢＷＰ）中心周波数値からの周波数オフセット値、サブフレームオフセット値、サブフレーム周期性値、ポート数を示す値等に基づいて決定することができる。
【００１６】
リソース配分を実行したか又は容易にした構成エンジン１０２は、以前に生成された一意識別子を、データ構造内のリソース配分、コンポーネントキャリアインデックスリスト、及び参照信号タイプに関連付けることができる。データ構造として利用することができる例示のデータ構造は、アレイ、リスト、二重リンクリスト、アレイリスト、リンクリスト、自己組織化リスト、二分木、ランダム化二分探索木（randomized binary search trees）、平衡二分探索木（self balancing binary search trees）、ヒープ、二分ヒープ、ハッシュテーブル、ハッシュ木、有向グラフ、隣接行列、隣接リスト、ハイパーグラフ等を含むことができる。その後、構成エンジン１０２は、データ構造をメモリに記憶するとともに、呼び出し側又は開始側ユーザー機器デバイスに返信することもできる。
【００１７】
上述の（呼び出し側）ユーザー機器デバイスの状況では、このデバイスは、プロセッサを備え、及び／又は、有線及び／又は無線ネットワークトポロジーに有効及び／又は動作可能に通信することが可能な任意のタイプの機構、機械、デバイス、設備、装置、及び／又は器具又は手段とすることができる。ユーザー機器デバイスを備えることができる例示の機構、機械、デバイス、設備、装置、及び／又は器具／手段は、タブレットコンピューティングデバイス、ハンドヘルドデバイス、サーバークラスコンピューティングデバイス、機械及び／又はデータベース、ラップトップコンピューター、ノートブックコンピューター、デスクトップコンピューター、携帯電話、スマートフォン、民生用機器及び／又は器具類、産業用デバイス及び／又は構成要素、ハンドヘルドデバイス、パーソナルデジタルアシスタント、マルチメディアインターネット対応電話、マルチメディアプレーヤー、自動車車両に関連付けられた民生用及び／又は産業用デバイス及び／又は器具類、地球低軌道、静止軌道を周回する航空宇宙ビークル及び／又は衛星に関連付けられた産業用及び／又は民生用機器及び／又は器具類等を含むことができる。
【００１８】
呼び出し側ユーザー機器デバイスからＲＳが受信される状況では、システム１００（及びより具体的には構成エンジン１０２）は、そのＲＳのための個別化一意識別子を生成し、この個別化一意識別子は、受信ＲＳ、ＲＳタイプ、システム１００に関連付けられたセル識別子、呼び出し側ユーザー機器デバイスに関連付けられた識別子等に基づくことに更に留意されたい。個別化一意識別子を生成するとき、構成エンジン１０２は、識別子の一意性を保証するために１つ以上の暗号解析技法を利用することもできる。さらに、構成エンジン１０２は、一意性、セキュリティを保証する目的で、また、データ構造パラダイムとして使用するために、ブロックチェーン技術（例えば、暗号としてセキュアなブロックのチェーン）の態様を利用することもできる。
【００１９】
図２は、一実施形態による、異なるタイプの参照信号を構成する、ここではシステム２００として識別されるシステム１００の更なる描写を提供している。図示したように、システム２００は、構成エンジン１０２、プロセッサ１０４、メモリ１０６、及び／又はストレージ１０８と協同して異なるタイプの参照信号の構成を提供する疑似コロケーション構成要素２０２を含む。疑似コロケーション構成要素２０２は、ＲＳの個別化一意識別子（例えば、構成エンジン１０２によって以前に生成された個別化一意識別子）に基づいて、また、参照信号ごとの各個別化一意識別子に応じて、ＲＳごとに基本的なシグナリングインジケーションを提供することができる。さらに、疑似コロケーション構成要素２０２は、ＲＳごとの個別化一意識別子に基づいて、複数の異種のコンポーネントキャリア（例えば、異なる多様なコンポーネントキャリア（ＣＣ）からのＲＳリソース）にわたってＱＣＬ構成をサポートすることができる。さらに、疑似コロケーション構成要素２０２は、ＲＳの個別化一意識別子に基づいて、異なる多様なタイプのＲＳ（例えば、異なるタイプを有するＲＳリソース）の間でＱＣＬ構成をサポートすることができる。さらに、疑似コロケーション構成要素２０２は、ＲＳの個別化一意識別子に基づいて、ダウンリンクとアップリンクとのＲＳリソース、例えば、サウンディング参照信号（ＳＲＳ）とチャネル状態情報参照信号（ＣＳＩ−ＲＳ）との間でＱＣＬ構成をサポートすることができる。
【００２０】
図３は、一実施形態による、異なるタイプの参照信号を構成する、ここではシステム３００として識別されるシステム１００の更なる説明図を提供している。図示したように、システム３００は、疑似コロケーション構成要素２０２、構成エンジン１０２、プロセッサ１０４、メモリ１０６、及び／又はストレージ１０８と協同して異なるタイプの参照信号の構成を提供することができるビーム管理構成要素３０２を含むことができる。ビーム管理構成要素３０２は、ＲＳの個別化一意識別子（例えば、構成エンジン１０２によって以前に生成された個別化一意識別子）に基づいて、また、参照信号ごとの各個別化一意識別子に応じて、参照シンボル受信電力（ＲＳＲＰ：reference symbol received power）測定値と、測定値についてのＲＳのタイプを示すことができる個別化一意識別子を含む報告構成値とを提供することができる。例えば、同期信号ブロック（ＳＳブロック）ベースＲＳＲＰ及び／又はＣＳＩ−ＲＳベースＲＳＲＰを、同じシグナリングフレームワークによってサポートすることができる。
【００２１】
図４は、一実施形態による、異なるタイプの参照信号を構成する、ここではシステム４００として識別されるシステム１００の更なる説明図を提供している。図示したように、システム４００は、ビーム管理構成要素３０２、疑似コロケーション構成要素２０２、構成エンジン１０２、プロセッサ１０４、メモリ１０６、及び／又はストレージ１０８と協同して異なるタイプの参照信号の構成を提供するとともに容易にすることができるチャネル状態構成要素４０２を含むことができる。チャネル状態構成要素４０２は、ＲＳの個別化一意識別子（例えば、構成エンジン１０２によって以前に生成された個別化一意識別子）に基づいて、また、参照信号ごとの各個別化一意識別子に応じて、非周期的ＣＳＩ−ＲＳ、周期的ＣＳＩ−ＲＳ及び半永続ＣＳＩ−ＲＳをサポートすることができる。一実施形態によれば、チャネル状態構成要素４０２は、ダウンリンク制御情報（ＤＣＩ）ベーストリガーの場合、ＤＣＩトリガー状態ごとの各個別化一意識別子に応じてＲＳリソースを構成することができ、この場合、周期性情報は、通常、非周期的ＣＳＩ−ＲＳのためのトリガータイミングによって上書きされる。
【００２２】
更なる実施形態によれば、チャネル状態構成要素４０２は、半永続トリガーの場合、ＲＳリソースのグループに関連付けられた個別化一意識別子の各々に応じてＲＳリソースのグループを構成することができ、その後、メディアアクセス制御共通要素（ＭＡＣ−ＣＥ）を用いて、このＲＳリソースのグループをアクティベート又はディアクティベートすることができる。この場合、周期性及びサブフレームオフセットは、ＭＡＣ−ＣＥによって求められたアクティベーション持続時間とともに用いられる。
【００２３】
更なる実施形態によれば、チャネル状態構成要素４０２は、周期的トリガーの場合、無線リソース制御（ＲＲＣ）シグナリングを含むＲＳリソースの各個別化一意識別子に応じて、ＲＲＣシグナリングにおいてＲＳリソースを構成することができ、その後、ＣＳＩ−ＲＳ送信は、各ＲＳリソースにおいて定義された周期性及びサブフレームオフセットに従う。
【００２４】
図５は、一実施形態による、異なるタイプの参照信号を構成する、ここではシステム５００として識別されるシステム１００の更なる説明図を提供している。システム５００は、チャネル状態構成要素４０２、ビーム管理構成要素３０２、疑似コロケーション構成要素２０２、構成エンジン１０２、プロセッサ１０４、メモリ１０６、及び／又はストレージ１０８と協同して異なるタイプの参照信号の構成を容易にすることができる無線リソース管理構成要素５０２を含むことができる。一実施形態によれば、ユーザー機器デバイスが、所与のＣＣ又はＢＷＰ上での無線リソース管理（ＲＲＭ）測定のために複数のＲＳタイプとともに構成される場合、複数のＲＳタイプの各々に関連付けられた測定値を報告するとき、ユーザー機器デバイスは、所与の測定のために利用されるＲＳ（複数の場合もある）を、ＲＳの対応する一意識別子（例えば、構成エンジン１０２によって以前に生成され、ユーザー機器デバイスに送信されてデータ構造内に含められた、個別化一意識別子）とともに示すことができる。したがって、無線リソース管理構成要素５０２は、通信側ユーザー機器デバイスから、各タイプのＲＳに関連付けられた測定値を、測定対象の一部として受信することができる。測定対象を含むことができる更なる測定値は、他の関連上位レイヤ（例えば、無線リソース制御（ＲＲＣ））表示測定値、及び報告構成値を含むことができる。
【００２５】
更なる実施形態によれば、所与のユーザー機器デバイスについて周波数内測定又は周波数間測定を構成するとき、一意識別子（例えば、構成エンジン１０２によって以前に生成され、ユーザー機器デバイスに送信されてデータ構造内に含められた、個別化一意識別子）を、無線リソース管理コンポ−ネント５０２が受信することができる。一意識別子は、複数の用途に用いることができる共通ＲＳ構成へのリンクを示すことができ、例えば、ＣＳＩ−ＲＳを、ビーム管理、ＣＳＩ取得、及び／又はＬＴＥレイヤ３（Ｌ３）モビリティのために用いることができる。
【００２６】
図６は、一実施形態による、異なるタイプの参照信号を構成する方法６００を示している。方法６００は、システム１００等の基地局デバイス上で実施することができる。６０２において、システム１００は、受信ＲＳ値、ＲＳタイプ、システム１００に関連付けられたセル識別子値（及び／又はセルセクター識別子アドレス）、ユーザー機器デバイスに関連付けられた識別子値（例えば、国際モバイル加入者識別情報（ＩＭＳＩ）、メディアアクセス制御（ＭＡＣ）アドレス又はＥｔｈｅｒｎｅｔハードウェアアドレス（ＥＨＡ））、基地局デバイス（例えば、次世代ＮｏｄｅＢ（ｇＮＢ）、進化型ＮｏｄｅＢ（ｅＮｏｄｅＢ）．．．）一意識別子等に応じて、ＲＳに関連付けられる一意識別子を生成することができる。６０４において、ＲＳタイプ及びＣＣインデックスリストに基づいて又はそれらに応じて、リソースを配分し（正：be allocated）、ＲＳに関連付けることができる。リソース配分は、ＲＳタイプ、サブキャリア値、直交周波数分割多重（ＯＦＤＭ）シンボルリソース値、帯域幅（帯域幅部分構成を含む）値、絶対無線周波数チャネル番号（ＡＲＦＣＮ）中心周波数値からの周波数オフセット値、帯域幅部分（ＢＷＰ）中心周波数値からの周波数オフセット値、サブフレームオフセット値、サブフレーム周期性値、ポート数を示す値等に基づいて決定することができる。６０６において、以前に生成された一意識別子を、リソース配分、コンポーネントキャリアインデックスリスト及び参照信号タイプに関連付けるとともに、適切なデータ構造内に配置することができる。６０８において、データ構造は、メモリに対して持続することができるとともに、ユーザー機器デバイスに送信することもできる。
【００２７】
図７は、一実施形態による、異なるタイプの参照信号を構成する方法７００を示している。方法７００は、ユーザー機器デバイスからの参照信号（ＲＳ）を受信することができる７０２において開始することができる。７０４において、受信ＲＳ値、ＲＳタイプ、セル識別子値及び／又はセルセクター識別子アドレス、例えば、国際モバイル加入者識別情報（ＩＭＳＩ）、メディアアクセス制御（ＭＡＣ）アドレス又はＥｔｈｅｒｎｅｔハードウェアアドレス（ＥＨＡ）等の、ユーザー機器デバイスに関連付けられた識別子値、又は基地局デバイス一意識別子に応じて、ＲＳに関連付けられる一意識別子を生成することができる。次いで、一意識別子は、生成されたリソース配分、コンポーネントキャリアインデックスリスト及び参照信号タイプを有する適切なデータ構造内に関連付けることができ、その後、データ構造をメモリ（例えば、メモリ１０６及び／又はストレージ１０８）又は複数のデータベースデバイスのうちの或るデータベースデバイスに記憶することができる。データ構造をユーザー機器デバイスに送信することもでき、ユーザー機器デバイスは、このユーザー機器デバイスに関連付けられたメモリにデータ構造を記憶することができる。
【００２８】
本明細書において説明される種々の態様は、ｎｅｗ  ｒａｄｉｏに関することができ、ｎｅｗ  ｒａｄｉｏは、スタンドアローン無線アクセス技術、又は、例えばロングタームエボリューション（ＬＴＥ）等、別の無線アクセス技術によって支援される非スタンドアローン無線アクセス技術として展開することができる。種々の態様及び実施形態を、本明細書において、５Ｇ、ユニバーサルモバイル電気通信システム（ＵＭＴＳ）、及び／又はロングタームエボリューション（ＬＴＥ）又は他の次世代ネットワークの状況で説明してきたが、その技法を３Ｇ、４Ｇ又はＬＴＥシステムにおいても適用することができるため、開示される態様は５Ｇ、ＵＭＴＳ実施態様、及び／又はＬＴＥ実施態様に限定されないことに留意するべきである。例えば、開示される実施形態の態様又は特徴は、実質的に任意の無線通信技術において活用することができる。そのような無線通信技術は、ＵＭＴＳ、符号分割多重アクセス（ＣＤＭＡ）、Ｗｉ−Ｆｉ、ワールドワイドインターオペラビリティフォーマイクロウェーブアクセス（ＷｉＭＡＸ：worldwide interoperability for microwave access）、汎用パケット無線サービス（ＧＰＲＳ）、拡張ＧＰＲＳ、第３世代パートナーシッププロジェクト（３ＧＰＰ）、ＬＴＥ、第３世代パートナーシッププロジェクト２（３ＧＰＰ２）ウルトラモバイルブロードバンド（ＵＭＢ）、高速パケットアクセス（ＨＳＰＡ）、発展型高速パケットアクセス（ＨＳＰＡ＋）、高速ダウンリンクパケットアクセス（ＨＳＤＰＡ）、高速アップリンクパケットアクセス（ＨＳＵＰＡ）、Ｚｉｇｂｅｅ、又は別のＩＥＥＥ  ８０２．ＸＸ技術を含むことができる。さらに、本明細書において開示される実質的に全ての態様を、レガシー電気通信技術において活用することができる。
【００２９】
本明細書において用いられる場合、「５Ｇ」は、Ｎｅｗ  Ｒａｄｉｏ（ＮＲ）アクセスと称することもできる。したがって、５Ｇシステムのためのグループ共通ダウンリンク制御チャネルの管理を容易にするシステム、方法、及び／又は機械可読記憶媒体が望まれる。本明細書において用いられる場合、５Ｇネットワークの１つ以上の態様は、数万人のユーザーのためにサポートされる数十メガビット／秒（Ｍｂｐｓ）のデータレート、数十人のユーザー（例えば、同じオフィスフロアにいる数十人の労働者）に同時に提供される少なくとも１ギガビット／秒（Ｇｂｐｓ）、マッシブセンサー展開のためにサポートされる数十万の同時接続、４Ｇと比較して大幅に高められたスペクトル効率、４Ｇに対するカバレッジの改善、４Ｇと比較して高められたシグナリング効率、及び／又はＬＴＥと比較して大幅に低減されたレイテンシーを含むことができるが、これらに限定されるものではない。
【００３０】
説明される実施形態では、システムは、プロセッサと、このプロセッサによって実行されると、動作の実行を容易にする機械実行可能命令及び／又はコンピューター実行可能命令を記憶するメモリとを備えることができる。この動作は、複数のネットワークデバイスのうちの或るネットワークデバイスから、このネットワークデバイスのダウンリンクチャネルに該当するダウンリンク制御情報を含むダウンリンク送信データを受信することと、ダウンリンク送信データに応じて、複数のサブバンドのうちの或るサブバンドを調整し、結果として複数のサブバンドのアグリゲーションをもたらすことと、この複数のサブバンドのアグリゲーションを介して、アップリンク無線トラフィックデータをネットワークデバイスに送信することとを含むことができる。
【００３１】
ダウンリンク送信データは、物理ダウンリンク共有チャネルデータと、ネットワークデバイスのダウンリンクチャネルに該当するチャネル状態情報取得データの参照信号と、ネットワークデバイスのダウンリンクチャネルに該当する無線リソース管理データとを更に含むことができる。
【００３２】
更なる動作は、複数のサブバンドのうちのサブバンドの第１のサブバンドにおいてダウンリンク送信データを受信することと、ネットワークデバイスが直交周波数分割多重符号化方式を使用したことに応答して、複数のサブバンドのうちのサブバンドの第１のサブバンドにおけるダウンリンク制御情報（ＤＣＩ）データを表す、第１の直交周波数分割多重シンボルを受信することと、第１の直交周波数分割多重シンボルに後続する第２の直交周波数分割多重シンボルを受信することであって、第２の直交周波数分割多重シンボルは、物理ダウンリンク共有チャネルデータを含むこととを含むことができる。
【００３３】
更なる説明される実施形態では、方法は、複数のネットワークデバイスのうちの或るネットワークデバイスのダウンリンクチャネルに該当するダウンリンク制御情報を含むダウンリンク送信データを、プロセッサを備えたシステムによって受信することと、ダウンリンク送信データに応じて、複数のサブバンドのうちの或るサブバンドをシステムによって調整し、結果として複数のサブバンドのアグリゲーションをもたらすことと、システムによって、この複数のサブバンドのアグリゲーションを介して、アップリンク無線トラフィックデータをネットワークデバイスに送信することとを含むことができる。
【００３４】
ダウンリンク送信データは、物理ダウンリンク共有チャネルデータ、ネットワークデバイスのダウンリンクチャネルに該当するチャネル状態情報取得データの参照信号、及び／又は、ネットワークデバイスのダウンリンクチャネルに該当する無線リソース管理データを更に含むことができる。
【００３５】
この方法によって実行することができる更なる動作は、複数のサブバンドのうちのサブバンドの第１のサブバンドにおいてダウンリンク送信データを受信することと、ネットワークデバイスが直交周波数分割多重符号化方式を使用したことに応答して、システムによって、複数のサブバンドのうちのサブバンドの第１のサブバンドにおけるダウンリンク制御情報（ＤＣＩ）データを表す、第１の直交周波数分割多重シンボルを受信することと、システムによって、第１の直交周波数分割多重シンボルに後続する第２の直交周波数分割多重シンボルを受信することであって、第２の直交周波数分割多重シンボルは、物理ダウンリンク共有チャネルデータを含むこととを含む。
【００３６】
別の実施形態では、プロセッサによって実行されると、動作の実行を容易にする実行可能命令を含む機械可読記憶媒体が説明される。この動作は、複数のネットワークデバイスのうちの或るネットワークデバイスから、このネットワークデバイスのダウンリンクチャネルに該当するダウンリンク制御情報を含むダウンリンク送信データを受信することと、ダウンリンク送信データに応じて、複数のサブバンドのうちの或るサブバンドを調整し、結果として複数のサブバンドのアグリゲーションをもたらすことと、この複数のサブバンドのアグリゲーションを介して、アップリンク無線トラフィックデータをネットワークデバイスに送信することとを含むことができる。
【００３７】
ダウンリンク送信データは、物理ダウンリンク共有チャネルデータ、ネットワークデバイスのダウンリンクチャネルに該当するチャネル状態情報取得データの参照信号、及び／又は、ネットワークデバイスのダウンリンクチャネルに該当する無線リソース管理データを更に含むことができる。
【００３８】
更なる動作は、複数のサブバンドのうちのサブバンドの第１のサブバンドにおいてダウンリンク送信データを受信することと、ネットワークデバイスが直交周波数分割多重符号化方式を使用したことに応答して、複数のサブバンドのうちのサブバンドの第１のサブバンドにおけるダウンリンク制御情報（ＤＣＩ）データを表す、第１の直交周波数分割多重シンボルを受信することと、第１の直交周波数分割多重シンボルに後続する第２の直交周波数分割多重シンボルを受信することであって、第２の直交周波数分割多重シンボルは、物理ダウンリンク共有チャネルデータを含むこととを含むことができる。
【００３９】
５Ｇネットワークにおける無線通信システムの広帯域動作のための仮想キャリアアグリゲーションを容易にすることができるシステム、方法、製品、及び他の実施形態又は実施態様が更に説明される。５Ｇネットワークにおける無線通信システムの広帯域動作のための仮想キャリアアグリゲーションを容易にすることは、通信ネットワークへの接続を有する任意のタイプのデバイス（例えば、モバイルハンドセット、コンピューター、ハンドヘルドデバイス等）、任意のモノのインターネット（ＩｏＴ）デバイス（例えば、トースター、コーヒーメーカー、ブラインド、音楽プレーヤー、スピーカー等）、及び／又は任意のコネクテッドビークル（車、飛行機、宇宙ロケット、及び／又は他の少なくとも部分的に自動化されたビークル（例えば、ドローン））に関連して実施することができる。いくつかの実施形態では、ユーザー機器（ＵＥ）という非限定的な用語が使われる。この用語は、セルラー通信システム又はモバイル通信システムにおいて無線ネットワークノードと通信する任意のタイプの無線デバイスを指すことができる。ＵＥの例は、ターゲットデバイス、デバイスツーデバイス（Ｄ２Ｄ）ＵＥ、マシンタイプＵＥすなわちマシンツーマシン（Ｍ２Ｍ）通信が可能なＵＥ、ＰＤＡ、タブレット、モバイル端末、スマートフォン、ラップトップ組み込み型機器（ＬＥＥ：laptop embedded equipped）、ラップトップ搭載型機器（ＬＭＥ：laptop mounted equipment）、ＵＳＢドングル等である。要素（element, elements）及びアンテナポートという用語は、本開示では区別なく用いられる可能性があるが、同じ意味を有することに留意されたい。実施形態は、ＵＥのシングルキャリア及びマルチキャリア（ＭＣ）又はキャリアアグリゲーション（ＣＡ）動作に適用可能である。キャリアアグリゲーション（ＣＡ）という用語は、「マルチキャリアシステム」、「マルチセル動作」、「マルチキャリア動作」、「マルチキャリア」送信及び／又は受信とも呼ばれる（例えば、同義で呼ばれる）。
【００４０】
いくつかの実施形態では、無線ネットワークノード又は単にネットワークノードという非限定的な用語が使われる。この用語は、１つ以上のＵＥにサービングし、及び／又は、他のネットワークノード若しくはネットワーク要素に結合される任意のネットワークノード、又は１つ以上のＵＥが信号を受信する送信元である任意のタイプの無線ノードを指すことができる。無線ネットワークノードの例は、ＮｏｄｅＢ、基地局（ＢＳ）、マルチスタンダード無線（ＭＳＲ）ノード、例えば、ＭＳＲ  ＢＳ、ｅＮｏｄｅＢ、ネットワークコントローラー、無線ネットワークコントローラー（ＲＮＣ）、基地局コントローラー（ＢＳＣ）、中継器、ドナーノード制御中継器、ベース送受信機局（ＢＴＳ：Base Transceiver Station）、アクセスポイント（ＡＰ）、送信ポイント、送信ノード、ＲＲＵ、ＲＲＨ、分散アンテナシステム（ＤＡＳ：distributed antenna system）におけるノード等である。
【００４１】
クラウド無線アクセスネットワーク（ＲＡＮ）は、５Ｇネットワークにおけるソフトウェア定義ネットワーク（ＳＤＮ：Software-Defined Network）及びネットワーク機能仮想化（ＮＦＶ）等の概念の実施を可能にすることができる。本開示は、５Ｇネットワークのための包括的なチャネル状態情報フレームワーク設計を容易にすることができる。本開示のいくつかの特定の実施形態は、ネットワーク内のトラフィックのルーティング、及びネットワークとトラフィック宛先との間のトラフィックのルーティングを制御することができるＳＤＮコントローラーを含むことができる。ＳＤＮコントローラーは、５Ｇネットワークアーキテクチャと統合して、オープンアプリケーションプログラミングインターフェース（ＡＰＩ）を介してサービス配信を可能にするとともに、ネットワークコアを、全インターネットプロトコル（ＩＰ）、クラウドベース、及びソフトウェア駆動電気通信ネットワークに移すことができる。ＳＤＮコントローラーは、ポリシー及び課金ルール機能（ＰＣＲＦ：Policy and Charging Rules Function）ネットワーク要素とともに機能するか、又はこの要素の代理を務めることができ、それにより、サービス品質並びにトラフィック管理及びルーティング等のポリシーを同期して、エンドツーエンドで管理することができる。
【００４２】
データセントリックアプリケーションに対する莫大な需要を満たすために、４Ｇ規格を、Ｎｅｗ  Ｒａｄｉｏ（ＮＲ）アクセスとも呼ばれる５Ｇに適用することができる。５Ｇネットワークは、以下、すなわち、数万人のユーザーのためにサポートされる数十メガビット／秒のデータレート、同じオフィスフロアにいる数十人の労働者に同時に（又は同時的に）提供することができる１ギガビット／秒、マッシブセンサー展開のためにサポートすることができる数十万の同時（又は同時的）接続、４Ｇと比較して高めることができるスペクトル効率、改善されたカバレッジ、高められたシグナリング効率、及びＬＴＥと比較して低減されたレイテンシーを含むことができる。ＯＦＤＭ等のマルチキャリアシステムにおいて、各サブキャリアが或る帯域幅（例えば、サブキャリア間隔）を占有することができる。キャリアが同じ帯域幅間隔を用いる場合、これは、単一のヌメロロジーとみなすことができる。一方で、キャリアが異なる帯域幅及び／又は間隔を占有する場合、これは、複数のヌメロロジーとみなすことができる。
【００４３】
図８は、本明細書において説明される開示の主題の１つ以上の態様を実施及び活用することができるモバイルネットワークプラットフォーム８１０の例示の実施形態８００を提示している。概して、無線ネットワークプラットフォーム８１０は、パケット交換（ＰＳ）トラフィック（例えば、インターネットプロトコル（ＩＰ）、フレームリレー、非同期転送モード（ＡＴＭ））と、回線交換（ＣＳ）トラフィック（例えば、音声及びデータ）との双方、及びネットワーク化無線電気通信のための制御生成を容易にする構成要素、例えば、ノード、ゲートウェイ、インターフェース、サーバー、又は異種のプラットフォームを含むことができる。非限定的な例として、無線ネットワークプラットフォーム８１０を、本明細書の他の部分で論述したように、電気通信キャリアネットワーク内に含めて、キャリア側構成要素とみなすことができる。モバイルネットワークプラットフォーム８１０は、電話網（複数の場合もある）８４０（例えば、公衆交換電話網（ＰＳＴＮ）、又は公衆陸上モバイルネットワーク（ＰＬＭＮ：public land mobile network））又はシグナリングシステム＃７（ＳＳ７）ネットワーク８６０のようなレガシーネットワークから受信されたＣＳトラフィックをインターフェースすることができる、ＣＳゲートウェイノード（複数の場合もある）８１２を含む。回路交換ゲートウェイノード（複数の場合もある）８１２は、そのようなネットワークから生じたトラフィック（例えば音声）を認可及び認証することができる。さらに、ＣＳゲートウェイノード（複数の場合もある）８１２は、ＳＳ７ネットワーク８６０を通じて生成されたモビリティデータ又はローミングデータ、例えば、在圏ロケーションレジスタ（ＶＬＲ：visited location register）内に記憶されたモビリティデータにアクセスすることができ、ＶＬＲは、メモリ８３０内に常駐することができる。さらに、ＣＳゲートウェイノード（複数の場合もある）８１２は、ＣＳベーストラフィック及びシグナリング並びにＰＳゲートウェイノード（複数の場合もある）８１８にインターフェースする。一例として、３ＧＰＰ  ＵＭＴＳネットワークでは、ＣＳゲートウェイノード（複数の場合もある）８１２は、ゲートウェイＧＰＲＳサポートノード（複数の場合もある）（ＧＧＳＮ）において少なくとも部分的に実現することができる。ＣＳゲートウェイノード（複数の場合もある）８１２、ＰＳゲートウェイノード（複数の場合もある）８１８、及びサービングノード（複数の場合もある）８１６の機能及び特定の動作は、電気通信のためにモバイルネットワークプラットフォーム８１０が利用する無線技術（複数の場合もある）によって提供及び命令されることを理解すべきである。
【００４４】
ＣＳ交換トラフィック及びシグナリングの受信及び処理に加えて、ＰＳゲートウェイノード（複数の場合もある）８１８は、サービングされるモバイルデバイスとのＰＳベースデータセッションを認可及び認証することができる。データセッションは、ワイドエリアネットワーク（複数の場合もある）（ＷＡＮ）８５０、ローカルエリアネットワーク（複数の場合もある）（ＬＡＮ）において具現化することができるとともに、ＰＳゲートウェイノード（複数の場合もある）８１８を通してモバイルネットワークプラットフォーム８１０にインターフェースすることもできる企業ネットワーク（複数の場合もある）８７０及びサービスネットワーク（複数の場合もある）８８０のような、無線ネットワークプラットフォーム８１０に対して外部のネットワークと交換されるトラフィック、又はコンテンツ（複数の場合もある）を含むことができる。ＷＡＮ８５０及び企業ネットワーク（複数の場合もある）８７０は、ＩＰマルチメディアサブシステム（ＩＭＳ）のようなサービスネットワーク（複数の場合もある）を、少なくとも部分的に具現化することができることに留意されたい。技術リソース（複数の場合もある）８１７において利用可能な無線技術レイヤ（複数の場合もある）に基づいて、パケット交換ゲートウェイノード（複数の場合もある）８１８は、データセッションが確立されると、パケットデータプロトコルコンテキストを生成することができる。パケット化データのルーティングを容易にする他のデータ構造も生成することができる。そのために、一態様では、ＰＳゲートウェイノード（複数の場合もある）８１８は、Ｗｉ−Ｆｉネットワーク等、異種の無線ネットワーク（複数の場合もある）とのパケット化通信を容易にすることができるトンネルインターフェース（例えば、３ＧＰＰ  ＵＭＴＳネットワーク（複数の場合もある）におけるトンネル終端ゲートウェイ（ＴＴＧ：tunnel termination gateway）（図示せず））を含むことができる。
【００４５】
実施形態８００では、無線ネットワークプラットフォーム８１０は、技術リソース（複数の場合もある）８１７内の利用可能な無線技術レイヤ（複数の場合もある）に基づいて、ＰＳゲートウェイノード（複数の場合もある）８１８を通じて受信されたデータストリームの種々のパケット化フローを伝達する、サービングノード（複数の場合もある）８１６も含む。主にＣＳ通信に依拠する技術リソース（複数の場合もある）８１７の場合、サーバーノード（複数の場合もある）は、ＰＳゲートウェイノード（複数の場合もある）８１８に依拠することなくトラフィックを伝送することができ、例えば、サーバーノード（複数の場合もある）は、モバイルスイッチングセンターを少なくとも部分的に具現化することができることに留意されたい。一例として、３ＧＰＰ  ＵＭＴＳネットワークでは、サービングノード（複数の場合もある）８１６を、サービングＧＰＲＳサポートノード（複数の場合もある）（ＳＧＳＮ）において具現化することができる。
【００４６】
パケット化通信を活用する無線技術の場合、無線ネットワークプラットフォーム８１０内のサーバー（複数の場合もある）８１４は、複数の異種のパケット化データストリーム又はフローを生成し、このようなフローを管理（例えば、スケジューリング、キューイング、フォーマット化．．．）することができる数多のアプリケーションを実行することができる。このようなアプリケーション（複数の場合もある）は、無線ネットワークプラットフォーム８１０によって提供される、標準的なサービスに対するアドオン特徴（例えば、プロビジョニング、請求、顧客サポート．．．）を含むことができる。データストリーム（例えば、音声呼又はデータセッションの一部であるコンテンツ（複数の場合もある））を、或るデータセッションの認可／認証及び開始のためにＰＳゲートウェイノード（複数の場合もある）８１８に送達するとともに、その後の通信のためにサービングノード（複数の場合もある）８１６に送達することができる。アプリケーションサーバーに加えて、サーバー（複数の場合もある）８１４は、ユーティリティサーバー（複数の場合もある）を含むことができ、ユーティリティサーバーは、プロビジョニングサーバー、運用及び保守サーバー、認証局及びファイアウォール並びに他のセキュリティメカニズムを少なくとも部分的に実装することができるセキュリティサーバー等を含むことができる。一態様では、セキュリティサーバー（複数の場合もある）は、ＣＳゲートウェイノード（複数の場合もある）８１２及びＰＳゲートウェイノード（複数の場合もある）８１８が確立することができる認可及び認証手順に加えて、ネットワークの運用及びデータインテグリティを保証するために、無線ネットワークプラットフォーム８１０を通じてサービングされる通信をセキュア化する。さらに、プロビジョニングサーバー（複数の場合もある）は、異種のサービスプロバイダーによって運用されるネットワークのような外部ネットワーク（複数の場合もある）、例えば、ＷＡＮ８５０又は全地球測位システム（ＧＰＳ）ネットワーク（複数の場合もある）（図示せず）からのサービスをプロビジョニングすることができる。プロビジョニングサーバー（複数の場合もある）は、（例えば、同じサービスプロバイダーによって展開及び運用される）無線ネットワークプラットフォーム８１０に関連付けられたネットワーク、例えば、ＵＥ８７５を介した家庭環境内又はビジネス環境内での加入者サービス体験を向上するために、屋内の限られた空間内における無線サービスカバレッジを向上し、無線アクセスネットワークをオフロードするフェムトセルネットワーク（複数の場合もある）（図示せず）を通じてカバレッジもプロビジョニングすることができる。
【００４７】
サーバー（複数の場合もある）８１４は、マクロネットワークプラットフォーム８１０の機能を少なくとも部分的に与えるように構成された、１つ以上のプロセッサを含むことができることに留意されたい。そのために、１つ以上のプロセッサは、例えば、メモリ８３０に記憶されたコード命令を実行することができる。サーバー（複数の場合もある）８１４は、前述したのと実質的に同じように動作するコンテンツマネージャー８１５を含むことができることを理解すべきである。
【００４８】
例示の実施形態８００では、メモリ８３０は、無線ネットワークプラットフォーム８１０の運用に関する情報を記憶することができる。他の運用情報は、無線プラットフォームネットワーク８１０、加入者データベースを通じてサービングされたモバイルデバイスのプロビジョニング情報、アプリケーションインテリジェンス、価格決定方式、例えば、プロモーション率（promotional rate）、フラットレートプログラム、クーポンキャンペーン、異種の無線技術レイヤの動作のための電気通信プロトコルと整合性のとれた技術的仕様（複数の場合もある）等を含むことができる。メモリ８３０は、電話網（複数の場合もある）８４０、ＷＡＮ８５０、企業ネットワーク（複数の場合もある）８６０、又はＳＳ７ネットワーク８７０のうちの少なくとも１つからの情報も記憶することができる。一態様では、メモリ８３０は、例えば、データストア構成要素の一部として、又は遠隔接続メモリストアとしてアクセスすることができる。
【００４９】
ここで図９を参照すると、本明細書において説明される１つ以上の実施形態による、無線通信を容易にするシステムアーキテクチャにおいて関与するように動作可能な一例示のモバイルハンドセット９００の一例示のブロック図が示されている。モバイルハンドセットが本明細書で示されているが、他のデバイスがモバイルデバイスであり得ること、及び、モバイルハンドセットが、本明細書に述べる種々の実施形態のうちの実施形態についての状況を提供するために示されているにすぎないことが理解されるであろう。以下の議論は、種々の実施形態を実施することができる、適した環境の一例についての簡潔な一般的説明を提供することを意図している。説明は、機械可読記憶媒体上で具現化されるコンピューター実行可能命令の一般的な状況を含むが、革新を、他のプログラムモジュールと組み合わせて及び／又はハードウェア及びソフトウェアの組み合わせとしても実施することができることを当業者であれば認識するであろう。
【００５０】
一般に、アプリケーション（例えば、プログラムモジュール）は、特定のタスクを実行するか又は特定の抽象データタイプを実装する、ルーチン、プログラム、構成要素、データ構造等を含むことができる。さらに、本明細書で述べる方法は、各々を１つ以上の関連するデバイスに動作可能に結合することができる、シングルプロセッサ又はマルチプロセッサシステム、ミニコンピューター、メインフレームコンピューター、及び、パーソナルコンピューター、ハンドヘルドコンピューティングデバイス、マイクロプロセッサベース又はプログラマブル消費者向け電子機器等を含む、他のシステム構成とともに実施することができることを当業者であれば理解するであろう。
【００５１】
コンピューティングデバイスは、通常、種々の機械可読媒体を含むことができる。機械可読媒体は、コンピューターによってアクセスすることができる任意の入手可能な媒体とすることができ、揮発性及び不揮発性媒体、取外し可能及び取外し不能媒体の両方を含む。限定としてではなく例として、コンピューター可読媒体は、コンピューター記憶媒体及び通信媒体を含むことができる。コンピューター記憶媒体は、コンピューター可読命令、データ構造、プログラムモジュール、又は他のデータ等の情報を記憶するための任意の方法又は技術で実装される、揮発性及び／又は不揮発性媒体、取外し可能及び／又は取外し不能媒体を含むことができる。コンピューター記憶媒体は、ＲＡＭ、ＲＯＭ、ＥＥＰＲＯＭ、フラッシュメモリ若しくは他のメモリ技術、ＣＤ  ＲＯＭ、デジタルビデオディスク（ＤＶＤ）、若しくは他の光ディスクストレージ、磁気カセット、磁気テープ、磁気ディスクストレージ若しくは他の磁気記憶デバイス、又は、所望の情報を記憶するために使用することができ、かつ、コンピューターによってアクセスすることができる任意の他の媒体を含むことができるが、それに限定されない。
【００５２】
通信媒体は、通常、搬送波又は他の搬送機構等の被変調データ信号内で、コンピューター可読命令、データ構造、プログラムモジュール、又は他のデータを具現化し、任意の情報送達媒体を含む（正：include）。「被変調データ信号（modulated data signal）」という用語は、信号内に情報を符号化するように設定又は変更されたその特性のうちの１つ以上を有する当該信号を意味する。限定としてではなく例として、通信媒体は、有線ネットワーク又は直結される接続等の有線媒体、並びに、音響、ＲＦ、赤外線、及び他の無線媒体等の無線媒体を含む。上記のうちの任意のものの組み合わせも、コンピューター可読媒体の範囲に含まれるべきである。
【００５３】
ハンドセットは、全てのオンボード動作及び機能を制御及び処理するためのプロセッサ９０２を備える。メモリ９０４は、データ及び１つ以上のアプリケーション９０６（例えば、ビデオプレイヤーソフトウェア、ユーザーフィードバック構成要素ソフトウェア等）を記憶するためにプロセッサ９０２にインターフェースする。他のアプリケーションは、ユーザーフィードバック信号の始動を容易にする所定の音声コマンドの音声認識を含むことができる。アプリケーション９０６は、メモリ９０４及び／又はファームウェア９０８に記憶し、メモリ９０４及び／又はファームウェア９０８のいずれか又は両方からプロセッサ９０２によって実行することができる。ファームウェア９０８は、ハンドセット９００を初期化するときに実行するための起動コードも記憶することができる。通信構成要素９１０は、外部システム、例えば、セルラーネットワーク、ＶｏＩＰネットワーク等との有線／無線通信を容易にするためにプロセッサ９０２にインターフェースする。ここで、通信構成要素９１０は、対応する信号通信のために、適したセルラートランシーバー９１１（例えば、ＧＳＭトランシーバー）及び／又は免許不要トランシーバー９１３（例えば、Ｗｉ−Ｆｉ、ＷｉＭａｘ）も含むことができる。ハンドセット９００は、セルラーフォン、モバイル通信能力を有するＰＤＡ、及びメッセージングセントリックデバイス等のデバイスとすることができる。また、通信構成要素９１０は、地上無線ネットワーク（例えば、ブロードキャスト）、デジタル衛星無線ネットワーク、及びインターネットベース無線サービスネットワークからの通信受信を容易にする。
【００５４】
ハンドセット９００は、テキスト、画像、ビデオ、電話機能（例えば、呼出し側ＩＤ機能）、セットアップ機能を表示するための、また、ユーザー入力のためのディスプレイ９１２を備える。例えば、ディスプレイ９１２は、マルチメディアコンテンツ（例えば、音楽メタデータ、メッセージ、壁紙、グラフィックス等）の提示を収容することができる「スクリーン（screen）」とも呼ぶことができる。ディスプレイ９１２は、ビデオも表示することができ、ビデオクオート（video quote）の生成、編集、及び共有を容易にすることができる。シリアルＩ／Ｏインターフェース９１４は、プロセッサ９０２と通信状態で設けられて、ハードワイヤ接続及び他のシリアル入力デバイス（例えば、キーボード、キーパッド、及びマウス）を通した有線及び／又は無線シリアル通信（例えば、ＵＳＢ及び／又はＩＥＥＥ  １３９４）を容易にする。これは、例えば、ハンドセット９００を更新すること及びトラブルシューティングすることをサポートする。オーディオ能力は、オーディオＩ／Ｏ構成要素９１６によって提供され、オーディオＩ／Ｏ構成要素９１６は、例えば、ユーザーフィードバック信号を始動するために適切なキー又はキー組み合わせをユーザーが押したというインジケーションに関連するオーディオ信号を出力するためのスピーカーを含むことができる。また、オーディオＩ／Ｏ構成要素９１６は、データ及び／又は電話音声データを記録するために、また、電話会話のための音声信号を入力するために、マイクロフォンを通したオーディオ信号の入力を容易にする。
【００５５】
ハンドセット９００は、カード型加入者識別モジュール（ＳＩＭ：Subscriber Identity Module）又はユニバーサルＳＩＭ９２０のフォームファクターのＳＩＣ（加入者識別構成要素（Subscriber Identity Component））を収容するための、また、ＳＩＭカード９２０をプロセッサ９０２にインターフェースするためのスロットインターフェース９１８を含むことができる。しかしながら、ＳＩＭカード９２０をハンドセット９００に入るように製造し、データ及びソフトウェアをダウンロードすることによって更新することができることが理解される。
【００５６】
ハンドセット９００は、通信構成要素９１０を通してＩＰデータトラフィックを処理して、ＩＳＰ又はブロードバンドケーブルプロバイダーを通して、例えば、インターネット、企業イントラネット、ホームネットワーク、パーソナルエリアネットワーク等のようなＩＰネットワークからＩＰトラフィックを収容することができる。そのため、ＶｏＩＰトラフィックは、ハンドセット９００によって利用することができ、ＩＰベースマルチメディアコンテンツは、符号化フォーマット又は復号フォーマットで受信することができる。
【００５７】
ビデオ処理構成要素９２２（例えば、カメラ）は、符号化されたマルチメディアコンテンツを復号するために設けることができる。ビデオ処理構成要素９２２は、ビデオクオートの生成、編集、及び共有を容易にするのを支援することができる。ハンドセット９００は、電池及び／又はＡＣ電力サブシステムの形態の電源９２４も備え、その電源９２４は、電力Ｉ／Ｏ構成要素９２６によって外部電力システム又は充電機器（図示せず）にインターフェースすることができる。
【００５８】
ハンドセット９００は、受信されたビデオコンテンツを処理し、ビデオコンテンツを記録及び送信するためのビデオ構成要素９３０も含むことができる。例えば、ビデオ構成要素９３０は、ビデオクオートの生成、編集、及び共有を容易にすることができる。ロケーショントラッキング構成要素９３２は、ハンドセット９００を地理的に位置特定することを容易にする。上記で述べたように、これは、ユーザーがフィードバック信号を自動的に又は手動で始動するときに起こり得る。ユーザー入力構成要素９３４は、ユーザーが品質フィードバック信号を始動することを容易にする。ユーザー入力構成要素９３４も、ビデオクオートの生成、編集、及び共有を容易にすることができる。ユーザー入力構成要素９３４は、例えば、キーパッド、キーボード、マウス、スタイラスペン、及び／又は、タッチスクリーン等のこうした従来の入力デバイス技術を含むことができる。
【００５９】
再度アプリケーション９０６を参照すると、ヒステリシス構成要素９３６は、アクセスポイントに関連付けるときを決定するために利用されるヒステリシスデータの解析及び処理を容易にする。Ｗｉ−Ｆｉトランシーバー９１３がアクセスポイントのビーコンを検出するとヒステリシス構成要素９３６のトリガーを容易にするソフトウェアトリガー構成要素９３８を設けることができる。ＳＩＰクライアント９４０は、ハンドセット９００が、ＳＩＰプロトコルをサポートし、ＳＩＰレジスターサーバーに加入者を登録することを可能にする。アプリケーション９０６は、マルチメディアコンテンツ、例えば、音楽の、少なくとも発見、再生、及び記憶の能力を提供するクライアント９４２も含むことができる。
【００６０】
ハンドセット９００は、通信構成要素９１０に関連して上記で示したように、室内ネットワーク無線トランシーバー９１３（例えば、Ｗｉ−Ｆｉトランシーバー）を備える。この機能は、デュアルモードＧＳＭハンドセット９００についてＩＥＥＥ  ８０２．１１等の室内無線リンクをサポートする。ハンドセット９００は、無線音声及びデジタル無線チップセットを組み合わせて単一ハンドヘルドデバイスにすることができるハンドセットを通して少なくとも衛星無線サービスを収容することができる。
【００６１】
ここで図１０を参照すると、本明細書において説明される１つ以上の実施形態による、無線通信を容易にするシステムアーキテクチャにおいて関与するように動作可能な一例示のコンピューター１０００の一例示のブロック図が示されている。コンピューター１０００は、有線又は無線通信ネットワークと、サーバー（例えば、Microsoft社のサーバー）及び／又は通信デバイスとの間のネットワーク接続及び通信能力を提供することができる。その種々の態様について更なる状況を提供するために、図１０及び以下の議論は、革新の種々の態様を実装して、エンティティと第３者との間のトランザクションの確立を容易にすることができる、適したコンピューティング環境の簡潔な一般的説明を提供することを意図している。上記説明は、１つ以上のコンピューター上で実行することができるコンピューター実行可能命令の一般的な状況内にあるが、革新を、他のプログラムモジュールと組み合わせて及び／又はハードウェア及びソフトウェアの組み合わせとしても実装することができることを当業者であれば認識するであろう。
【００６２】
一般に、プログラムモジュールは、特定のタスクを実行する又は特定の抽象データタイプを実装する、ルーチン、プログラム、構成要素、データ構造等を含む。さらに、本発明の方法は、各々を１つ以上の関連するデバイスに動作可能に結合することができる、シングルプロセッサ又はマルチプロセッサコンピューターシステム、ミニコンピューター、メインフレームコンピューター、及び、パーソナルコンピューター、ハンドヘルドコンピューティングデバイス、マイクロプロセッサベース又はプログラマブル消費者向け電子機器等を含む、他のコンピューターシステム構成とともに実施することができることを当業者であれば理解するであろう。
【００６３】
革新の例示される態様は、或る特定のタスクが通信ネットワークを通してリンクされるリモート処理デバイスによって実行される分散型コンピューティング環境において実施することもできる。分散型コンピューティング環境では、プログラムモジュールをローカルメモリ記憶デバイス及びリモートメモリ記憶デバイス内の両方に配置することができる。
【００６４】
コンピューティングデバイスは通常、種々の媒体を含み、それらの媒体はコンピューター可読記憶媒体又は通信媒体を含むことができ、その２つの用語は、以下のように、本明細書において互いに異なるように使用される。
【００６５】
コンピューター可読記憶媒体は、コンピューターによってアクセスすることができる任意の入手可能な記憶媒体とすることができ、揮発性及び不揮発性媒体、取外し可能及び取外し不能媒体の両方を含む。例であって、限定はしないが、コンピューター可読記憶媒体は、コンピューター可読命令、プログラムモジュール、構造化データ又は非構造化データ等の情報を記憶するための任意の方法又は技術に関連して実現することができる。コンピューター可読記憶媒体は、限定はしないが、ＲＡＭ、ＲＯＭ、ＥＥＰＲＯＭ、フラッシュメモリ若しくは他のメモリ技術、ＣＤ−ＲＯＭ、デジタルバーサタイルディスク（ＤＶＤ）若しくは他の光ディスクストレージ、磁気カセット、磁気テープ、磁気ディスクストレージ若しくは他の磁気記憶デバイス、又は所望の情報を記憶するために用いることができる他の有形及び／又は非一時的媒体を含むことができる。コンピューター可読記憶媒体は、媒体によって記憶される情報に関する種々の動作のために、例えば、アクセス要求、問い合わせ又は他のデータ検索プロトコルを介して、１つ以上のローカル若しくはリモートコンピューティングデバイスによってアクセスすることができる。
【００６６】
通信媒体は、被変調データ信号、例えば、搬送波又は他の搬送機構等のデータ信号において、コンピューター可読命令、データ構造、プログラムモジュール又は他の構造化若しくは非構造化データを具現化することができ、任意の情報送達又は搬送媒体を含む（正：include）。「被変調データ信号」又は信号という用語は、１つ以上の信号内に情報を符号化するように設定又は変更される特性のうちの１つ以上を有する信号を指している。例であって、限定はしないが、通信媒体は、有線ネットワーク又は直結される接続等の有線媒体、並びに、音響、ＲＦ、赤外線及び他の無線媒体等の無線媒体を含む。
【００６７】
図１０を参照すると、エンドユーザーデバイスに関して本明細書で述べる種々の態様を実装することは、処理ユニット１００４、システムメモリ１００６、及びシステムバス１００８を備えるコンピューター１０００を含むことができる。システムバス１００８は、限定はしないが、システムメモリ１００６を含むシステム構成要素を処理ユニット１００４に結合する。処理ユニット１００４は種々の市販のプロセッサのうちのいずれかとすることができる。処理ユニット１００４として、デュアルマイクロプロセッサ及び他のマルチプロセッサアーキテクチャも利用することができる。
【００６８】
システムバス１００８は、種々の市販のバスアーキテクチャのいずれかを用いて、メモリバス（メモリコントローラーを備えるか、又は備えない）、周辺機器用バス及びローカルバスに更に相互接続することができるいくつかのタイプのバス構造のいずれかとすることができる。システムメモリ１００６は、リードオンリーメモリ（ＲＯＭ）１０２７及びランダムアクセスメモリ（ＲＡＭ）１０１２を含む。ＲＯＭ、ＥＰＲＯＭ、ＥＥＰＲＯＭ等の不揮発性メモリ１０２７内に基本入出力システム（ＢＩＯＳ）が記憶され、ＢＩＯＳは、起動中等に、コンピューター１０００内の要素間で情報を転送するのを助ける基本ルーチンを含む。ＲＡＭ１０１２は、データをキャッシュするためのスタティックＲＡＭ等の高速ＲＡＭも含むことができる。
【００６９】
コンピューター１０００は、適切なシャーシ（図示せず）において外部で使用するように構成することもできる内部ハードディスクドライブ（ＨＤＤ）１０１４（例えば、ＥＩＤＥ、ＳＡＴＡ）と、磁気フロッピーディスクドライブ（ＦＤＤ）１０１６（例えば、取外し可能ディスケット１０１８に対する読出し又は書込み用）と、光ディスクドライブ１０２０（例えば、ＣＤ−ＲＯＭディスク１０２２の読出し、又はＤＶＤのような他の大容量光学媒体に対する読出し若しくは書込み用）とを更に含む。ハードディスクドライブ１０１４、磁気ディスクドライブ１０１６及び光ディスクドライブ１０２０はそれぞれ、ハードディスクドライブインターフェース１０２４、磁気ディスクドライブインターフェース１０２６及び光ドライブインターフェース１０２８によって、システムバス１００８に接続することができる。外部ドライブを実現するためのインターフェース１０２４は、ユニバーサルシリアルバス（ＵＳＢ）及びＩＥＥＥ  １３９４インターフェース技術のうちの少なくとも一方又は両方を含む。他の外部ドライブ接続技術も本革新の考慮の範囲内にある。
【００７０】
ドライブ及びその関連するコンピューター可読媒体は、データ、データ構造、コンピューター実行可能命令等の不揮発性記憶を提供する。コンピューター１０００の場合、ドライブ及び媒体は、適切なデジタルフォーマットにおいて任意のデータの記憶に対応する。上記のコンピューター可読媒体の説明は、ＨＤＤ、取外し可能磁気ディスケット、及びＣＤ又はＤＶＤ等の取外し可能光媒体を参照するが、ジップドライブ、磁気カセット、フラッシュメモリカード、カートリッジ等の、コンピューター１０００によって読出し可能である他のタイプの媒体も例示的な動作環境において使用できること、更に任意のそのような媒体が、開示される革新の方法を実行するためのコンピューター実行可能命令を含むことができることは、当業者には理解されたい。
【００７１】
ドライブ及びＲＡＭ１０１２内に、オペレーティングシステム１０３０、１つ以上のアプリケーションプログラム１０３２、他のプログラムモジュール１０３４及びプログラムデータ１０３６を含む、複数のプログラムモジュールを記憶することができる。オペレーティングシステム、アプリケーション、モジュール及び／又はデータの全て又は一部をＲＡＭ１０１２にキャッシュすることもできる。革新を、種々の市販のオペレーティングシステム又はオペレーティングシステムの組み合わせによって実装することができることが理解される。
【００７２】
ユーザーは、１つ以上の有線／無線入力デバイス、例えば、キーボード１０３８及びマウス１０４０等のポインティングデバイスを通して、コンピューター１０００にコマンド及び情報を入力することができる。他の入力デバイス（図示せず）は、マイクロフォン、ＩＲ遠隔制御、ジョイスティック、ゲームパッド、スタイラスペン、タッチスクリーン等を含むことができる。これらの入力デバイス及び他の入力デバイスは、多くの場合に、システムバス１００８に結合される入力デバイスインターフェース１０４２を通して処理ユニット１００４に接続されるが、パラレルポート、ＩＥＥＥ  １３９４シリアルポート、ゲームポート、ＵＳＢポート、ＩＲインターフェース等の他のインターフェースによって接続することもできる。
【００７３】
モニター１０４４又は他のタイプのディスプレイデバイスも、ビデオアダプター１０４６等のインターフェースを介して、システムバス１００８に接続される。モニター１０４４に加えて、コンピューター１０００は通常、スピーカー、プリンター等の他の周辺出力デバイス（図示せず）を含む。
【００７４】
コンピューター１０００は、リモートコンピューター（複数の場合もある）１０４８等の１つ以上のリモートコンピューターとの有線及び／又は無線通信を介しての論理接続を用いてネットワーク化された環境において動作することができる。リモートコンピューター（複数の場合もある）１０４８は、ワークステーション、サーバーコンピューター、ルーター、パーソナルコンピューター、ポータブルコンピューター、マイクロプロセッサ内蔵娯楽機器、ピアデバイス又は他の共通ネットワークノードとすることができ、通常、コンピューターに関して説明される要素の多く又は全てを含むが、簡潔にするために、１つのメモリ／記憶デバイス１０５０のみが示される。図示される論理接続は、ローカルエリアネットワーク（ＬＡＮ）１０５２及び／又はより大きなネットワーク、例えば、ワイドエリアネットワーク（ＷＡＮ）１０５４への有線／無線接続を含む。そのようなＬＡＮ及びＷＡＮネットワーク化環境はオフィス及び企業では一般的であり、その全てがグローバル通信ネットワーク、例えば、インターネットに接続することができるイントラネット等の企業規模のコンピューターネットワークを容易にする。
【００７５】
ＬＡＮネットワーク化環境において用いられるときに、コンピューター１０００は、有線及び／又は無線通信ネットワークインターフェース又はアダプター１０５６を通して、ローカルネットワーク１０５２に接続される。アダプター１０５６は、ＬＡＮ１０５２との有線又は無線通信を容易にすることができ、ＬＡＮは、そこに配置され、無線アダプター１０５６と通信するための無線アクセスポイントも含むことができる。
【００７６】
ＷＡＮネットワーク化環境において用いられるときに、コンピューター１０００は、モデム１０５８を含むことができるか、又はＷＡＮ１０５４上の通信サーバーに接続されるか、又は例えばインターネットによって、ＷＡＮ１０５４を介して通信を確立するための他の手段を有する。モデム１０５８は、内部又は外部、及び有線又は無線デバイスとすることができ、入力デバイスインターフェース１０４２を介して、システムバス１００８に接続される。ネットワーク化された環境では、コンピューターに関して図示されるプログラムモジュール又はその一部は、リモートメモリ／記憶デバイス１０５０に記憶することができる。図示されるネットワーク接続は例であり、コンピューター間に通信リンクを確立する他の手段を用いることができることは理解されよう。
【００７７】
コンピューターは、無線通信において動作可能に配置される任意の無線デバイス又はエンティティ、例えば、プリンター、スキャナー、デスクトップ及び／又はポータブルコンピューター、ポータブルデータアシスタント、通信衛星、無線で検出可能なタグに関連付けられる任意の機器又は場所（例えば、キオスク、ニューススタンド、化粧室）、及び電話と通信するように動作可能である。これは、少なくともＷｉ−Ｆｉ及びＢｌｕｅｔｏｏｔｈ（商標）無線技術を含む。このようにして、通信は、従来のネットワーク、又は単に少なくとも２つのデバイス間のアドホック通信の場合のような規定された構造とすることができる。
【００７８】
Ｗｉ−Ｆｉ、すなわちワイヤレスフィディリティによって、自宅の長椅子から、ホテルの部屋から、又は仕事中に会議室から、無線でインターネットに接続できるようになる。Ｗｉ−Ｆｉは携帯電話において使用されるのに類似の無線技術であり、それにより、そのようなデバイス、例えば、コンピューターが、基地局の範囲内の屋内外いずれの場所にもデータを送信及び受信できるようになる。Ｗｉ−Ｆｉネットワークは、安全で、信頼性があり、高速の無線接続性を提供するために、ＩＥＥＥ  ８０２．１１（ａ、ｂ、ｇ等）と呼ばれる無線技術を使用する。Ｗｉ−Ｆｉネットワークを用いて、コンピューターを互いに、インターネットに、そして有線ネットワーク（ＩＥＥＥ  ８０２．３又はＥｔｈｅｒｎｅｔを使用する）に接続することができる。Ｗｉ−Ｆｉネットワークは、例えば、免許不要２．４ＧＨｚ及び５ＧＨｚ無線帯域において、１０Ｍｂｐｓ（８０２．１１ａ）若しくは５４Ｍｂｐｓ（８０２．１１ｂ）データレートで動作するか、又は両方の帯域（デュアルバンド）を含む製品を用いて動作するので、ネットワークは、多くのオフィスにおいて使用される基本１０ＢａｓｅＴ有線Ｅｔｈｅｒｎｅｔネットワークに類似の実世界性能を提供することができる。
【００７９】
従来の４Ｇシステムとは区別される５Ｇの一態様は、ＮＲの使用である。ＮＲアーキテクチャは、ＲＡＣＨ手順に用いられるリソースの独立した構成のために複数の配置事例をサポートするように設計することができる。ＮＲは、ＬＴＥによって提供されるサービスよりも更にサービスを提供することができるので、本明細書において論述されるように、ＬＴＥとＮＲとの間の相互作用を容易にするように、ＬＴＥとＮＲとの長所及び短所を活用することによって、効率性を生み出すことができる。
【００８０】
本明細書全体にわたって「１つの実施形態」又は「一実施形態」と言及するとき、これは、その実施形態に関連して説明された特定の特徴、構造、又は特性は、少なくとも１つの実施形態に含まれることを意味する。したがって、本明細書全体にわたる様々な箇所で「１つの実施形態では」、「１つの態様では」又は「一実施形態では」という文言が出現しても、必ずしも全てが同じ実施形態を指しているわけではない。さらに、特定の特徴、構造、又は特性は、１つ以上の実施形態において任意の好適な方法で組み合わせることができる。
【００８１】
本開示において使用されるときに、いくつかの実施形態において、「構成要素」、「システム」、「インターフェース」等の用語は、コンピューター関連エンティティ、又は１つ以上の特定の機能を有する運用装置に関連するエンティティを指すか、又は備えることを意図しており、そのエンティティはハードウェア、ハードウェア及びソフトウェアの組み合わせ、ソフトウェア、又は実行中のソフトウェア、及び／又はファームウェアのいずれかとすることができる。一例として、構成要素は、限定はしないが、プロセッサ上で実行されるプロセス、プロセッサ、オブジェクト、実行ファイル、実行スレッド、コンピューター実行可能命令、プログラム及び／又はコンピューターとすることができる。例示であって、限定はしないが、サーバー上で実行されるアプリケーション及びサーバーの両方を構成要素とすることができる。
【００８２】
１つ以上の構成要素は、プロセス及び／又は実行スレッド内に常駐することができ、構成要素は、１つのコンピューター上に位置することができ、及び／又は２つ以上のコンピューターの間に分散させることができる。加えて、これらの構成要素は、種々のデータ構造がその上に記憶されている種々のコンピューター可読媒体から実行することができる。構成要素は、１つ以上のデータパケット（例えば、ローカルシステム内で、分散システム内で別の構成要素と、及び／又は、インターネット等のネットワークにわたって信号を介して他のシステムと相互作用する１つの構成要素からのデータ）を含む信号に従って等で、ローカル及び／又はリモートプロセスを介して通信することができる。別の例として、構成要素は、１つ以上のプロセッサによって実行されるソフトウェアアプリケーション又はファームウェアアプリケーションによって動作する電気又は電子回路要素によって動作する機械部品によって提供される特定の機能を有する装置とすることができる。ここで、プロセッサは、装置の内部又は外部にある可能性があり、ソフトウェア又はファームウェアアプリケーションの少なくとも一部を実行することができる。更なる別の例として、構成要素は、機械部品なしで電子構成要素を通して特定の機能を提供する装置とすることができ、その電子構成要素は、電子構成要素の機能を少なくとも部分的に与えるソフトウェア又はファームウェアを実行するために内部にプロセッサを備えることができる。一態様では、構成要素は、例えばクラウドコンピューティングシステム内の仮想マシンを介して電子構成要素をエミュレートすることができる。種々の構成要素を別個の構成要素として示してきたが、例示の実施形態から逸脱することなく、複数の構成要素を単一の構成要素として実施することもできるし、単一の構成要素を複数の構成要素として実施することもできることを理解されたい。
【００８３】
さらに、「例」及び「例示的」という用語は、事例又は例示としての役割を果たすことを意図して本明細書において使用される。「例」又は「例示的」として本明細書において説明される任意の実施形態又は設計は、必ずしも、他の実施形態又は設計より好ましいか、又は有利であると解釈されるべきではない。むしろ、例又は例示的という言葉を使用することは、概念を具体的に提示することを意図している。本出願において使用されるときに、「又は」という用語は、排他的な「又は」ではなく、包含的な「又は」を意味することを意図している。すなわち、別段の指示がない限り、又は文脈において明らかでない限り、「ＸがＡ又はＢを利用する」は、自然な包含的置換のいずれかを意味することを意図している。すなわち、ＸがＡを利用する、ＸがＢを利用する、又はＸがＡ及びＢの両方を利用する場合には、上記の事例のうちのいずれのもとにおいても、「ＸがＡ又はＢを利用する」が満たされる。さらに、本出願及び添付の特許請求の範囲において用いられるときに、数量を特定していない用語は、別段の指示がない限り、又は単数のものを対象とすることが文脈から明らかでない限り、一般に「１つ以上」を意味すると解釈されるべきである。
【００８４】
さらに、「モバイルデバイス機器」、「モバイル局」、「モバイル」、「加入者局」、「アクセス端末」、「端末」、「ハンドセット」、「通信デバイス」、「モバイルデバイス」等の用語（及び／又は類似の用語を表す用語）は、データ、制御、音声、ビデオ、サウンド、ゲーミング、又は実質的に任意のデータストリーム若しくはシグナリングストリームを受信又は伝達するために、無線通信サービスの加入者又はモバイルデバイスによって利用される無線デバイスを指すことができる。上記の用語は、本明細書において、及び関連する図面を参照しながら同義で利用される。同様に、「アクセスポイント（ＡＰ）」、「基地局（ＢＳ）」、ＢＳ送受信機、ＢＳデバイス、セルサイト、セルサイトデバイス、「ノードＢ（ＮＢ）」、「進化型ノードＢ（ｅＮｏｄｅＢ）」、「ホームノードＢ（ＨＮＢ）」等の用語は本出願において同義で利用され、１つ以上の加入者局との間で、データ、制御、音声、ビデオ、サウンド、ゲーミング、又は実質的に任意のデータストリーム若しくはシグナリングストリームを送信及び／又は受信する無線ネットワーク構成要素又は電化製品を指す。データストリーム及びシグナリングストリームは、パケット化された、又はフレームベースのフローとすることができる。
【００８５】
さらに、「デバイス」、「通信デバイス」、「モバイルデバイス」、「加入者」、「顧客エンティティ」、「消費者」、「エンティティ」等の用語は、文脈上、それらの用語間を特に区別することが正当化されない限り、全体を通して同義で利用される。そのような用語は、人間エンティティを指すことができるか、又はシミュレートされたビジョン、音認識等を提供することができる人工知能（例えば、複雑な数学的表現に基づいて推論する能力）を通してサポートされる自動化された構成要素を指すことができることを理解されたい。
【００８６】
本明細書において説明される実施形態は、限定はしないが、ワイヤレスフィディリティ（Ｗｉ−Ｆｉ）、モバイル通信用グローバルシステム（ＧＳＭ）、ユニバーサルモバイル電気通信システム（ＵＭＴＳ）、ワールドワイドインターオペラビリティフォーマイクロウェーブアクセス（ＷｉＭＡＸ）、拡張汎用パケット無線サービス（拡張ＧＰＲＳ）、第３世代パートナーシッププロジェクト（３ＧＰＰ）ロングタームエボリューション（ＬＴＥ）、第３世代パートナーシッププロジェクト２（３ＧＰＰ２）ウルトラモバイルブロードバンド（ＵＭＢ）、高速パケットアクセス（ＨＳＰＡ）、Ｚ−Ｗａｖｅ、Ｚｉｇｂｅｅ及び他の８０２．ＸＸ無線技術及び／又はレガシー電気通信技術を含む、実質的に任意の無線通信技術において利用することができる。
【００８７】
５Ｇシステムのために２段階ダウンリンク制御チャネルを容易にするシステム、方法及び／又は機械可読記憶媒体が、本明細書において提供される。ＬＴＥ、ロングタームエボリューションアドバンスト（ＬＴＥ−Ａ）、高速パケットアクセス（ＨＳＰＡ）等、レガシー無線システムは、ダウンリンク制御チャネルのために固定変調フォーマットを使用する。固定変調フォーマットは、ダウンリンク制御チャネルフォーマットが、常に単一のタイプの変調（例えば、四位相偏移変調（ＱＰＳＫ））によって符号化され、固定符号レートを有することを暗示する。さらに、前方誤り訂正（ＦＥＣ）エンコーダーは、レートマッチングによる１／３の単一の固定マザー符号レートを用いる。この設計は、チャネル統計を考慮に入れていない。例えば、ＢＳデバイスからモバイルデバイスへのチャネルが非常に良好である場合、制御チャネルは、この情報を用いて変調、コードレートを調整することができず、それにより、この制御チャネルに不必要な電力を配分する。同様に、ＢＳからモバイルデバイスへのチャネルが不良である場合、モバイルデバイスは、固定変調及びコードレードだけでは受信した情報を復号することができない場合があり得る。本明細書において用いられる場合、「推論する」又は「推論」という用語は、一般に、イベント及び／又はデータを介して捕捉された一組の観測値からシステム、環境、ユーザー、及び／又は意図について推理するプロセス、又は、それらの状態を推論するプロセスを指す。捕捉されたデータ及びイベントは、ユーザーデータ、デバイスデータ、環境データ、センサーからのデータ、センサーデータ、アプリケーションデータ、暗黙的なデータ、明示的なデータ等を含むことができる。推論は、例えば、特定の状況又は動作を識別するのに用いることもできるし、データ及びイベントの検討に基づいて、対象となる状態に関する確率分布を生成することもできる。
【００８８】
推論は、一組のイベント及び／又はデータからより高いレベルのイベントを構成するのに用いられる技法も指すことができる。そのような推論は、イベントが、時間的に近接して相関されるか否かを問わず、また、イベント及びデータが１つ又はいくつかのイベント源及びデータ源からのものであるか否かを問わず、一組の観測されたイベント及び／又は記憶されたイベントデータからの新たなイベント又は動作の構築をもたらす。種々の分類方式及び／又は分類システム（例えば、サポートベクターマシン、ニューラルネットワーク、エキスパートシステム、ベイジアン信念ネットワーク、ファジー論理、及びデータ融合エンジン）を、開示された主題と関連した自動的な及び／又は推論された動作の実行とともに用いることができる。
【００８９】
さらに、種々の実施形態は、標準的なプログラミング及び／又はエンジニアリング技法を用いて、開示される主題を実現するようにコンピューターを制御するソフトウェア、ファームウェア、ハードウェア又はその任意の組み合わせをもたらす、方法、装置又は製品として実現することができる。本明細書において用いられる場合、「製品」という用語は、任意のコンピューター可読デバイス、機械可読デバイス、コンピューター可読キャリア、コンピューター可読媒体、機械可読媒体、コンピューター可読（若しくは機械可読）記憶／通信媒体からアクセス可能なコンピュータープログラムを含むことを意図している。例えば、コンピューター可読媒体は、限定はしないが、磁気記憶デバイス、例えば、ハードディスク、フロッピーディスク、磁気ストリップ（複数の場合もある）、光ディスク（例えば、コンパクトディスク（ＣＤ）、デジタルビデオディスク（ＤＶＤ）、Ｂｌｕ−ｒａｙディスク（商標）（ＢＤ））、スマートカード、フラッシュメモリデバイス（例えば、カード、スティック、キードライブ）、及び／又は記憶デバイスを模倣する仮想デバイス、及び／又は上記コンピューター可読媒体のうちの任意のものを含むことができる。当然、種々の実施形態の範囲及び趣旨から逸脱することなく、この構成に数多くの変更を加えることができることが当業者には認識されよう。
【００９０】
要約書において記述されることを含む、本開示の例示される実施形態の上記の記述は、網羅的に述べることを意図するものではなく、開示される実施形態を開示されるのと全く同じ形態に限定することを意図するものでもない。例示のために、本明細書において具体的な実施形態及び例が記述されるが、当業者が認識できるような、そのような実施形態及び例の範囲内で考えられる種々の変更が可能である。
【００９１】
この関連で、本主題は種々の実施形態及び対応する図に関連して本明細書において記述されてきたが、適用可能な場合には、開示される主題から逸脱することなく、他の類似の実施形態を用いることができるか、又は開示される主題の同じ機能、類似の機能、代替機能又は代用機能を実行するために記述される実施形態に対して変更を加えること及び追加することができることは理解されたい。それゆえ、開示される主題は、本明細書において記述される任意の単一の実施形態に限定されるべきではなく、添付の特許請求の範囲による広さ及び範囲内で解釈されるべきである。
【図１】
2020533854.tif 000003
【図２】
2020533854.tif 000004
【図３】
2020533854.tif 000005
【図４】
2020533854.tif 000006
【図５】
2020533854.tif 000007
【図６】
2020533854.tif 000008
【図７】
2020533854.tif 000009
【図８】
2020533854.tif 000010
【図９】
2020533854.tif 000011
【図１０】
2020533854.tif 000012
【国際調査報告】
2020533854.tif 000013
2020533854.tif 000014